(57)【要約】  本願は、フレキシブル電子装置を提供し、筐体と、筐体に収容されたリールと、リールに巻き付けられたフレキシブル電子装置本体と、制御モジュールと、エンドカバーと、回転軸と、を備え、リールは回転軸によってエンドカバーに対して回転し、エンドカバーには機能モジュールが設置されており、制御モジュールはリール内に設置され、導線は制御モジュール及び機能モジュールに電気的に接続され、フレキシブル電子装置本体が収縮する際、導線は第一方向に沿って回転軸に巻き取られ、フレキシブル電子機器本体が伸展する際、導線は第二方向に沿って回転軸に巻き取られ、第二方向は第一方向と反対である。【選択図】図１３
2020506458.tif 000002
【特許請求の範囲】
【請求項１】
筐体と、前記筐体に収容されたリールと、前記リールに巻き付けられたフレキシブル電子装置本体と、制御モジュールと、エンドカバーと、回転軸と、を備え、前記リールは前記回転軸によって前記エンドカバーに対して回転し、前記エンドカバーには機能モジュールが設置されており、前記制御モジュールは前記リール内に設置され、導線は前記制御モジュール及び前記機能モジュールに電気的に接続され、前記フレキシブル電子装置本体が収縮する際、前記導線は第一方向に沿って前記回転軸に巻き取られ、前記フレキシブル電子機器本体が伸展する際、前記導線は第二方向に沿って前記回転軸に巻き取られ、前記第二方向は前記第一方向と反対であることを特徴とするフレキシブル電子装置。
【請求項２】
前記エンドカバーは前記機能モジュールを収容するためのキャビティを備え、前記リールは、前記制御モジュールを収容するための収容空間と、前記エンドカバーを固定するためのエンドプレートと、を備え、
前記エンドプレートには前記収容空間に連通されるポートが設けられており、前記エンドカバーの一側には前記キャビティに連通される導線孔が設けられており、前記導線は前記導線孔及び前記ポートを通過して前記制御モジュールに電気的に接続されることを特徴とする請求項１に記載のフレキシブル電子装置。
【請求項３】
前記リール内に設置されたモーターをさらに備え、前記モーターは前記回転軸に回転可能に接続されることを特徴とする請求項２に記載のフレキシブル電子装置。
【請求項４】
前記リールは、第一軸体と、前記第一軸体に対して着脱可能な第二軸体と、を備え、前記第一軸体は前記第二軸体に係合して前記収容空間を形成し、前記第一軸体の前記ポートの両側に位置制限突起が設置されて位置制限スロットを形成し、前記位置制限スロットは前記収容空間に伸び込む前記導線に対して位置制限するために用いられることを特徴とする請求項３に記載のフレキシブル電子装置。
【請求項５】
前記エンドカバーは前記キャビティ内に固定された位置制限部材をさらに備え、前記位置制限部材には前記導線孔と連通される貫通孔及び軸孔が設けられており、前記回転軸の一端は前記エンドプレートから伸び出して前記軸孔に位置制限されることを特徴とする請求項２に記載のフレキシブル電子装置。
【請求項６】
前記機能モジュールはコネクタであり、回路基板及び回路基板に接続されたコネクタソケットを備え、前記エンドカバーの前記導線孔とは反対側には差し込み口が設けられており、前記コネクタソケットと前記差し込み口は揃っていることを特徴とする請求項２に記載のフレキシブル電子装置。
【請求項７】
前記コネクタはリセット弾性部材をさらに備え、前記エンドカバーのキャビティには支持柱が設置されており、前記支持柱の軸方向に沿って外界と前記キャビティを貫通する貫通孔が設けられており、前記リセット弾性部材は、接続部と、前記接続部に折り曲げて接続された当接部と、を備え、前記当接部は前記支持柱の上方に位置し且つ前記貫通孔と対向することを特徴とする請求項６に記載のフレキシブル電子装置。
【請求項８】
前記エンドカバーのキャビティには前記回路基板を固定するための対向する２つの段差部が設置されていることを特徴とする請求項６に記載のフレキシブル電子装置。
【請求項９】
前記導線が巻かれる第一方向は、前記フレキシブル電子装置本体が伸展するときの前記リールの回転方向と同じであり、前記フレキシブル電子装置本体が収縮するときの前記方向と反対であることを特徴とする請求項１〜８のいずれか一項に記載のフレキシブル電子装置。
【請求項１０】
前記導線が第一方向に沿って前記リールに巻き付けられる巻き数は、前記導線が第二方向に沿って前記リールに巻き付けられる巻き数と同じであることを特徴とする請求項１〜８のいずれか一項に記載のフレキシブル電子装置。
【請求項１１】
前記回転軸にスリーブされたスリーブをさらに備え、前記導線は前記スリーブに巻き付けられることを特徴とする請求項１〜８のいずれか一項に記載のフレキシブル電子装置。
【請求項１２】
前記スリーブは前記回転軸に可動にスリーブされていることを特徴とする請求項１１に記載のフレキシブル電子装置。
【請求項１３】
前記スリーブは前記回転軸に回転可能にスリーブされていることを特徴とする請求項１２に記載のフレキシブル電子装置。
【請求項１４】
前記モーターが前記回転軸に対して回転すると、前記スリーブは同時に前記モーターに対して回転することを特徴とする請求項１３に記載のフレキシブル電子装置。
【請求項１５】
前記スリーブは前記モーターと前記エンドプレートとの間に位置することを特徴とする請求項１１に記載のフレキシブル電子装置。
【発明の詳細な説明】
【技術分野】
【０００１】
本発明は、端末設備技術分野に関するものであり、特にフレキシブル電子装置に関するものである。
【背景技術】
【０００２】
携帯電話、パームサイズパソコン（Ｐａｌｍｓｉｚｅ  Ｐｅｒｓｏｎａｌ  Ｃｏｍｐｕｔｅｒ，ＰＰＣ）、ノートブックなどの電子装置は、生活の中で広く使用されている。ユーザーは、一般的にタッチスクリーン又は外付けキーボードによって電子装置を操作する。ハイテクの発展に伴い、電子装置の携帯性及び多様性について、消費者の要求はますます高くなっている。従来の技術の巻き可能な電子装置は、通常、可撓性機能部材を回転させるリールと、リールの端部に位置するエンドカバーと、を備える。エンドカバーには、一般的に可撓性機能部材に電気的に接続された機能装置が設置されている。可撓性機能部材が回転しても、エンドカバーは静止したままであり、従って機能装置の正常な作動を確保する。機能モジュールは導線によってリール内の回路基板に接続され、リールが回転しても、エンドカバーは静止したままであるので、リールの回転に伴って導線は何度も巻き付けられ、巻き付けられる巻き数が多すぎると、導線の損害が発生し易いので、導線の損傷を防ぐために、合理的な配線方式が必要である。
【発明の概要】
【０００３】
本発明は、リールの内部空間を占めなくても導線の損傷を回避することができる配線方式を有するフレキシブル電子装置を提供する。
【０００４】
本発明に係わるフレキシブル電子装置は、筐体と、筐体に収容されたリールと、リールに巻き付けられたフレキシブル電子装置本体と、制御モジュールと、エンドカバーと、回転軸と、を備え、リールは回転軸によってエンドカバーに対して回転し、エンドカバーには機能モジュールが設置されており、制御モジュールはリール内に設置され、導線は制御モジュール及び機能モジュールに電気的に接続され、フレキシブル電子装置本体が収縮する際、導線は第一方向に沿って回転軸に巻き取られ、フレキシブル電子機器本体が伸展する際、導線は第二方向に沿って回転軸に巻き取られ、第二方向は第一方向と反対である。
【０００５】
その中において、エンドカバーは機能モジュールを収容するためのキャビティを備え、リールは、制御モジュールを収容するための収容空間と、エンドカバーを固定するためのエンドプレートと、を備え、
エンドプレートには収容空間に連通されるポートが設けられており、エンドカバーの一側にはキャビティに連通される導線孔が設けられており、導線は導線孔及びポートを通過して制御モジュールに電気的に接続される。
【０００６】
その中において、リール内に設置されたモーターをさらに備え、モーターは回転軸に回転可能に接続される。
【０００７】
その中において、リールは、第一軸体と、第一軸体に対して着脱可能な第二軸体と、を備え、第一軸体は第二軸体に係合して収容空間を形成し、第一軸体のポートの両側に位置制限突起が設置されて位置制限スロットを形成し、収容空間に伸び込む導線に対して位置制限するために用いられる。
【０００８】
その中において、エンドカバーはキャビティ内に固定された位置制限部材をさらに備え、位置制限部材には導線孔と連通される貫通孔及び軸孔が設けられており、回転軸の一端はエンドプレートから伸び出して軸孔に位置制限される。
【０００９】
その中において、機能モジュールはコネクタであり、回路基板及び回路基板に接続されたコネクタソケットを備え、エンドカバーの導線孔とは反対側には差し込み口が設けられており、コネクタソケットと差し込み口は揃っている。
【００１０】
その中において、コネクタはリセット弾性部材をさらに備え、エンドカバーのキャビティには支持柱が設置されており、支持柱の軸方向に沿って外界とキャビティを貫通する貫通孔が設けられており、リセット弾性部材は、接続部と、接続部に折り曲げて接続された当接部と、を備え、当接部は支持柱の上方に位置し且つ貫通孔と対向する。
【００１１】
その中において、エンドカバーのキャビティには回路基板を固定するための対向する２つの段差部が設置されている。
【００１２】
その中において、導線が巻かれる第一方向は、フレキシブル電子装置本体が伸展するときのリールの回転方向と同じであり、フレキシブル電子装置本体が収縮するときの方向と反対である。
【００１３】
その中において、導線が第一方向に沿ってリールに巻き付けられる巻き数は、導線が第二方向に沿ってリールに巻き付けられる巻き数と同じである。
【００１４】
その中において、回転軸にスリーブされたスリーブをさらに備え、導線はスリーブに巻き付けられる。
【００１５】
その中において、スリーブは回転軸に可動にスリーブされている。
【００１６】
その中において、スリーブは回転軸に回転可能にスリーブされている。
【００１７】
その中において、モーターが回転軸に対して回転すると、スリーブは同時にモーターに対して回転する。
【００１８】
その中において、スリーブはモーターとエンドプレートとの間に位置する。
【００１９】
本発明のフレキシブル電子装置において、導線はリールに巻き付けられて同時に回転するので、リールがどのように回転するかにかかわらず、導線はリールの回転に伴って回転展開されるか又は再び巻き付けられることにより、導線の収納を実現することができ、導線の乱雑による損傷を免れることができる。
【図面の簡単な説明】
【００２０】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明に係わるフレキシブル電子装置の構造を示す図である。
【図２】図２は、図１に示されたフレキシブル電子装置の部分分解図である。
【図３】図３は、図２に示されたフレキシブル電子装置のリールの分解図である。
【図４】図４は、図３に示されたリールの第一軸体の構造を示す図である。
【図５】図５は、図３に示されたリールの第二軸体の構造を示す図である。
【図６】図６は、図３に示されたフレキシブル電子装置の駆動部の構造を示す図である。
【図７】図７は、図３に示されたリールの第二軸体の部分分解図である。
【図８】図８は、図２に示されたフレキシブル電子装置の第一エンドカバー及びスイッチ部の分解図であり、その中にリールを備える。
【図９】図９は、図８に示されたスイッチ部のボタン及び第一エンドカバーの別の視角の分解図である。
【図１０】図１０は、図２に示されたフレキシブル電子装置の第二エンドカバーの部分分解図であり、その中にリール及び駆動部を備える。
【図１１】図１１は、図１０に示された第二エンドカバーの部分断面図である。
【図１２】図１２は、図２に示された第二エンドカバーをリールに取り付けた後の断面図であり、その中に第二エンドカバー内に取り付けられたコネクタを備える。
【図１３】図１３は、図２に示されたコネクタとリール内に位置する電子部品との間の電気的接続方式を示す分解図である。
【図１４】図１４は、図２に示されたコネクタとリール内に位置する電子部品との間の電気的接続方式を示す分解図である。
【図１５】図１５は、図１３に示された導電端子の分解図である。
【図１６】図１６は、図１３に示された電気接続方式を採用するフレキシブル電子装置の断面図である。
【図１７】図１７は、図１に示されたフレキシブル電子装置のコネクタとリール内に位置する電子部品との間の電気的接続方式の他の構造を示す分解図である。
【図１８】図１８は、図１７に示されたフレキシブル電子装置の第一軸体の部分構造を示す図である。
【図１９】図１９は、図１７に示されたフレキシブル電子装置の第二エンドカバーの１つの視角の断面図である。
【図２０】図２０は、図１７に示されたフレキシブル電子装置の第二エンドカバー及びコネクタの断面図である。
【図２１】図２１は、図１７に示されたフレキシブル電子装置の断面図である。
【発明を実施するための形態】
【００２１】
以下、本発明の実施形態の添付の図面を参照しながら、本発明の実施形態の技術的方案を明確且つ完全に説明する。
【００２２】
本発明は、フレキシブル電子装置を提供する。本発明の実施形態に係わるフレキシブル電子装置は、フレキシブルタッチパネルを有する巻き可能なタッチキーボードであることができ、フレキシブルディスプレイスクリーンであることもでき、又はフレキシブルキーボードとフレキシブルディスプレイスクリーンの組合であることもでき、携帯電話、タブレットパソコン、パームサイズパソコン（Ｐａｌｍｓｉｚｅ  Ｐｅｒｓｏｎａｌ  Ｃｏｍｐｕｔｅｒ，ＰＰＣ）、携帯情報端末（Ｐｅｒｓｏｎａｌ  Ｄｉｇｉｔａｌ  Ａｓｓｉｓｔａｎｔ，ＰＤＡ）又は電子リーダーに用いられるが、これらに限定されるものではなく、本発明の実施形態はこれに対して特に限定しない。
【００２３】
図１、図２及び図３を参照すると、本実施形態において、フレキシブル電子装置１００は、ロールタイプであり、筐体１０と、筐体１０に収容されたリール４０と、リール４０に接続されたフレキシブル電子装置本体２００と、駆動部７０と、バッテリー８０と、制御モジュール９０と、を備える。制御モジュール９０、バッテリー８０及び駆動部７０は、リール４０内に互いに離間して設置される。バッテリー８０及び駆動部７０は制御モジュール９０に電気的に接続されており、バッテリー８０は制御モジュール９０と駆動部７０との間に位置する。駆動部７０はリール４０を動かすとともに筐体１０に対して回転する。フレキシブル電子装置本体２００は、リール４０の回転によって筐体１０内に巻き取られることができ、且つ筐体１０から伸び出すことができる。本願では、駆動部７０をフレキシブル電子装置本体の回転軸として回転することができるリール４０に配置し、駆動部はリール４０と共に回転し、リールの回転構造を節約することができ、大きなスペースを占用しなく、筐体の全長を効果的に減少することができる。
【００２４】
フレキシブル電子装置本体２００の一端は筐体１０から露出されているので、フレキシブル電子装置本体２００をリール４０から引き出すことができる。フレキシブル電子装置本体２００の一端はリール４０内に固定されており、露出された他端にはタイロッド２１０が設置されている。筐体１０には貫通スロット（図示せず）が設けられており、プルロッド２１０は貫通スロットに係止される。駆動部の駆動によってリール４０を回転させて、フレキシブル電子装置本体２００をリール４０に巻き取るか又はリール４０からフレキシブル電子装置本体２００を釈放する。フレキシブル電子装置本体２００は、フレキシブル回路基板によって制御モジュール９０に電気的に接続される。制御モジュール９０は、回路基板と、回路基板上に設置された複数の電子部品と、を備える。筐体１０は、両端が開口した中空の円筒体であり、一体成型されてもよく、２つの部分を係合してなってもよい。リールは端部を介して筐体１０に取り付けられ、エンドプレート又はエンドカバーによって閉じられる。
【００２５】
図３、図４、図５を参照すると、本実施形態において、リール４０は、中空の筒体であり、第一軸体５０と、第一軸体５０に対して着脱可能な第二軸体６０と、を備える。第一軸体５０は、第二軸体６０に係合する。駆動部７０は、第一軸体５０と第二軸体６０によって形成された収容空間内に収容され、且つ第一軸体５０と第二軸体６０に固定されている。第一軸体５０と第二軸体６０の横断面は半円形の構造である。第一軸体５０は第一収容溝５１を含み、第二軸体６０は第二収容溝６１を含む。第一収容溝５１の底壁には互いに離間する２つの第一突起５４が突出して設置されており、第二収容溝６１の底壁には第一突起５４を挿入させる第二突起６４が設置されている。第一突起５４及び第二突起６４にはいずれもピン孔が設けられており、ピンは第一突起５４及び第二突起６４を貫いて第一突起５４及び第二突起６４を固定し、第一突起５４及び第二突起６４の挿入接続を実現する。
【００２６】
図４及び図５に示されたように、第一収容溝５１と第二収容溝６１は収容空間を形成し、第一突起５４は第二突起６４に挿入されて収容空間を３つのキャビティに分割し、別々に制御モジュール９０、バッテリー８０及び駆動部７０を収容するために用いられる。制御モジュール９０、バッテリー８０及び駆動部７０は、いずれも第一軸体５０及び第二軸体６０に固定される。具体的には、第一突起５４は第一収容溝５１を駆動部キャビティ５１１、バッテリーキャビティ５１２及び制御モジュールキャビティ５１３に分割し、第二突起６４は第二収容溝６１を駆動部キャビティ６１１、バッテリーキャビティ６１２及び制御モジュールキャビティ６１３に分割する。駆動部キャビティ５１１と駆動部キャビティ６１１が締結されて駆動部７０を収容するためのキャビティを形成し、バッテリーキャビティ５１２とバッテリーキャビティ６１２が締結されてバッテリー８０を収容するためのキャビティを形成し、制御モジュールキャビティ６１３と制御モジュールキャビティ５１３が締結されて制御モジュール９０を収容するためのキャビティを形成する。バッテリー８０は制御モジュール９０と駆動部７０との間に位置し、バッテリーの重量が最も大きいので、不均衡な重量分布を避けるために、バッテリーを中間に位置するキャビティに収容する。
【００２７】
本実施形態において、第一軸体５０の対向する両側における制御モジュール９０に対応する位置には第一回避プラットフォーム５３が形成されており、第二軸体６０には第一回避プラットフォーム５３と対向する第二回避プラットフォーム６３が形成されており、第一回避プラットフォーム５３と第二回避プラットフォーム６３が係合して制御モジュール９０の回路基板を挟める。具体的には、第一回避プラットフォーム５３は、第一収容溝５１を形成する第一軸体５０の対向する２つの側辺の端部に位置し、第二回避プラットフォーム６３は、第二収容溝６１を形成する第二軸体６０の対向する２つの側辺の端部に位置する。第一回避プラットフォーム５３には位置決め部５３２が間隔を置いて設置されている。制御モジュール９０が収容空間に装着されると、第一軸体５０と第二軸体６０が係合して、第一回避プラットフォーム５３と第二回避プラットフォーム６３が回路基板の両側を挟め、且つ位置決め部５３２によって回路基板の位置を決める。さらに、第二軸体６０における第二回避プラットフォーム６３に隣接する箇所には制御モジュール９０の電子部品を収容するためのスロット６３２、及びフレキシブル電子装置本体２００の回路基板を通過させる切欠き６３３が設けられている。第一回避プラットフォーム５３及び第二回避プラットフォーム６３によって回路基板をリール４０に挿入することができ、従ってリールの収容スペースが占有する体積を減少し、全体構造をよりコンパクトにして、フレキシブル電子装置の体積を減少することができる。
【００２８】
図４及び図５に示されたように、第一軸体５０は係止部を備え、第二軸体６０は第一軸体５０の係止部と係合する係合部を備える。本実施形態において、係止部は第一軸体５０の２つの側辺の端部に設けられた係合スロット５５であり、係合部は第二軸体６０の２つの側辺の端部に設置されたバックル６５である。第一軸体５０と第二軸体６０が係合する際、バックル６５は係合スロット５５に係合し、第一回避プラットフォーム５３と第二回避プラットフォーム６３が係合し、第一突起５４は第二突起６４に挿入し且つピンで固定して、第一軸体５０と第二軸体６０を固定する。他の実施形態において、係合部は係合スロットであり、係止部はバックルである。又は係合部と係止部は強力磁石である。
【００２９】
図６を一緒に参照すると、さらに、駆動部７０は、モーター７２と、モーター７２の一端に回転可能に接続された回転軸７１と、を備える。モーター７２の他端には、制御モジュール９０に電気的に接続するための導電端部７４が設置されている。モーター７２の外周面には対向する２つの位置制限面７２１が形成されており、実に位置制限面は外周面を削り取って形成された平坦面を有するスロットである。第一軸体５０には第一位置制限突起５２が設置されており、第二軸体６０には第二位置制限突起６２が設置されている。第一位置制限突起５２と第二位置制限突起６２は位置制限面７２１を挟んで、モーターをリール４０内に固定する。本実施形態において、第一位置制限突起５２と第二位置制限突起６２は駆動部キャビティ内に位置する。第一位置制限突起５２は互いに離間して設置された２つのブロックであり、第二位置制限突起６２は互いに離間して設置された２つのブロックであり、別々に位置制限面７２１に対応する。
【００３０】
図７を参照すると、選択的に、第二軸体６０には、第二軸体６０の外表面に配置された底部カバー６９が設置されている。第二軸体６０の外表面には複数の係合孔が設けられており、底部カバー６９には係合孔に係合して両者を固定するためのバックルが形成されている。ねじはさらに底部カバー６９を貫いてから第二軸体６０の外表面に係止して、両者をさらに固定する。底部カバー６９は外表面とともにフレキシブル電子装置本体の一端を挟めて、それを筐体内に固定する。もちろん、実にはフレキシブルスクリーンの一端を接着剤によって筐体内に固定することができる。
【００３１】
図２、図４、図５を参照すると、本願の一実施形態において、リール４０はエンドカバーで筐体１０の両端部を固定閉じる。リールの使用性能を向上させるために、フレキシブル電子装置は２つのエンドカバーに設置されたスイッチ部及び機能部材をさらに備える。本実施形態において、第一軸体５０の一端には第一エンドプレート５７が設置されており、第一軸体５０の他端には第二エンドプレート５８が設置されており、第一エンドプレート５７及び第二エンドプレート５８は第一収容溝５１の両端に位置する。第二軸体５０の両端は開口端であり、第一エンドプレート５７及び第二エンドプレート５８の一部を収容することができる。フレキシブル電子装置のエンドカバーは、第一エンドカバー３０及び第二エンドカバー２０を備え、第一エンドカバー３０はリール４０の第一エンドプレート５７に固定され、第二エンドカバー２０は第二エンドプレート５８に固定される。第一エンドカバー３０及び第二エンドカバー４０で筐体１０の両端を閉じ且つ筐体１０の両端に固定される。第一エンドカバー３０には、制御モジュール９０に接続されてリール４０の作動及びフレキシブル電子装置本体２００の機能を実現するために用いられるスイッチ部３２が設置されている。第二エンドカバー２０に設置された機能部材は、バッテリー８０の充電及びフレキシブル電子装置本体２００のデータ送信を実現するために用いられるＵＳＢコネクタ２４である。
【００３２】
図８と図９を一緒に参照すると、具体的には、第一エンドプレート５７の外表面には凸状リング５７１が突出して設置されている。凸状リング５７１には、その軸方向に沿って第一エンドプレート５７を貫通して収容空間に連通される貫通溝５７２が設けられている。第一エンドカバー３０は、略矩形の中空ブロックであり、その外表面には取付溝３１１が設けられており、取付溝３１１とは反対側の表面にはスロット３１２が設けられている。凸状リング５７１はスロット３１２に伸び込んで固定されて、第一エンドカバー３０とリールを固定することができる。
【００３３】
図８と図９を一緒に参照すると、スイッチ部は接触点及びボタンを備え、ボタンは第一エンドカバーの外表面に可動に取り付けられて、接触点をタッチするために用いられる。具体的には、スイッチ部３２は、ボタン３２１と、接触点３２３２が設置されたフレキシブル回路基板３２３と、を備える。フレキシブル回路基板３２３は、第一エンドプレートを貫いて第一エンドカバー３０及び収容空間内に収容され、ボタン３２１は第一エンドカバー３０の外表面に装着される。ボタン３２１におけるその押圧面とは反対側の表面には、バネにスリーブされている押圧柱３２１１と、第一エンドカバー３０に固定接続されたフック３２１２と、挿入ロッド３２１３と、が突出して設置されている。取付溝３１１の底壁には、押圧柱３２１１を貫かせる貫通孔３１３と、フック３２１２と協同する係合孔３１５と、挿入ロッド３２１３と協同する挿入孔３１４が設けられている。ボタン３２１は、取付溝３１１内に可動に装着されている。また、ボタン３２１と取付溝３１１との間には、ワッシャー３２２がさらに設置されており、ボタン３２１と第一エンドカバー３０を固定してシールするために用いられる。
【００３４】
フレキシブル回路基板３２３は、光源３２３３及び接触点３２３２が設置された押圧端部３２３０と、折り曲げられて押圧端部３２３０に接続されている延在部３２３１と、を備える。押圧端部３２３０は、スロット３１２に収容され、且つ支持板３２３５によって支持され、突出リング５７１の端面に固定される。フレキシブル回路基板３２３における押圧端部３２３０から離れている延在部３２３１は突出リングの貫通溝５７２を貫いて延在されて制御モジュール９０に接続される。ボタン３２１は取付溝３１１に可動に取り付けられ、その押圧柱３２１１はスロット３１２を貫いて接触点３２３２に当接するか又は分離してスイッチ機能を発揮し、バネはボタン３２１に弾性回復力を提供し、光源３２３３はボタン３２１にバックライトを提供する。
【００３５】
図１０〜図１４を参照すると、第二エンドカバー２０は、第二エンドプレート５８に固定されている。第二エンドカバー２０は、略矩形の中空ブロックであり、第一側壁２１１と、第一側壁２１１と対向する第二側壁２１２と、第一側壁２１１と第二側壁２１２との間に位置するキャビティ２１３と、キャビティに固定された位置制限ブロック２２と、を備える。第一側壁２１１には、コネクタ２４の差し込み口２１９が設けられており、差し込み口２１９はキャビティ２１３に連通している。第二側壁２１２の表面は取付面であり、第二エンドカバー２０は取付面によって第二エンドプレート５８に接続される。モーターはリール内に固定され、回転軸７１は第２のエンドカバー２０に挿入され、第２のエンドカバー２０に対して軸方向に拘束される。モーターはリール内に固定されており、回転軸７１は第二エンドカバー２０内に挿入され且つ第二エンドカバー２０に相対して軸方向で位置制限され、リールがモーターの回転に連動されて回転するとき、回転軸、筐体及び第二エンドカバーは静止したままであり、リール４０はモーター７２に随って回転し且つ第二エンドカバー２０に相対して回転する。
【００３６】
図１３を一緒に参照すると、本実施形態において、位置制限ブロック２２は、基部２２１と、基部２２１から突出するスリーブ２２２と、を備える。基部２２１は、非回転対称輪郭である。スリーブ２２２には貫通された規制孔２２４が設けられている。駆動部７０の回転軸７１は、第二エンドプレートを貫いてから規制孔２２４に固定される。また、回転軸７１の外周縁には平面７１１（図６）が形成されており、規制孔２２４の内孔面には平面７１１に当接して回転軸７１の回転を規制する平面が形成されている。キャビティ２１３は、取付面に隣接し且つ取付面に対向して設置された内表面を備え、内表面には固定溝２１７が設けられており、位置制限ブロック２２は固定溝２１７内に収容され且つ軸方向で位置制限されている。固定溝２１７の輪郭は位置制限ブロックのベース２２１の輪郭と同じであり、ベース２２１の外周面には位置制限構造が設置されて固定溝２１７と位置制限して、固定溝２１７に埋め込まれたベース２２１が回転できないようにする。固定スロット２１７のスロット壁には第二側壁２１２を貫通する円形孔２１４が設けられており、スリーブ２２２は円形孔２１４に挿入される。第二側壁２１２は、その取付面によって第二エンドプレート５８に接続される。モーター７２の回転軸７１は第二エンドプレート５８を貫いてからスリーブ２２２の規制孔２２４に挿入されて固定される。本実施形態において、コネクタ２４と制御パネルは有線接続されるか又は無線接続されて信号を送信する。
【００３７】
図１２を参照すると、コネクタ２４は、回路基板２４１と、回路基板２４１に固定されたコネクタソケット２４２と、リセット弾性部材２４３と、を備える。コネクタ２４はキャビティ２１３内に設置され、コネクタソケット２４２のインタフェースと差し込み口２１９は対向する。コネクタソケット２４２及びリセット弾性部材２４３は回路基板２４１の１つの表面に固定されており、リセット弾性部材２４３は回路基板２４の一端に位置し且つ回路基板２４１に垂直するように設置される。キャビティ２１３における位置制限ブロック２２の対向する両側には、回路基板２４１を支持するための段差部２１３１がさらに設置されている。コネクタソケット２４２及びリセット弾性部材２４３は回路基板２４１によって覆われている。また、キャビティ２１３の側壁には、リセット弾性部材２４３と対向し且つリセット弾性部材２４３を制御してリセット機能を実現させるための貫通孔２１８が設けられている。
【００３８】
リール４０は直接にエンドプレートで筐体１０の両端を閉じることができると理解されるべきである。具体的には、第一軸体５０の一端には第一エンドプレート（図示せず）が設置されており、他端には第二エンドプレートが設置されており、本実施形態において、第一エンドプレートと第二エンドプレートは平板である。リール４０を筐体１０に取り付けると、第一エンドプレートと第二エンドプレートは筐体１０の両端に位置し、リールを筐体１０内に閉鎖する。第一エンドプレートと第二エンドプレートの外表面に装飾面（図示せず）を設置することができる。第一軸体５０の駆動部キャビティは第二エンドプレートに隣接し、第二エンドプレートには軸孔が設けられており、回転軸は第二エンドプレートの軸孔に固定される。
【００３９】
また、コネクタ２４等の機能部材は導線によって制御モジュール９０に電気的に接続されることを必要とするが、第二エンドカバー２０内のコネクタソケット２４２は固定されており、リール４０内のバッテリー８０、制御モジュール９０、モーターは回転可能であるので、直接に導線でリール４０内のバッテリー８０、制御モジュール９０をコネクタソケット２４２に接続すると、導線はリール４０とともに回転する。もしリール４０が繰り返して回転する回数がより多い場合、導線も同じ回数だけ回転するので、導線が絡み合っているか、さらに損傷する可能性もある。上述した実施形態に基づいて、
【００４０】
さらに、導線の代わりに、ガイドレールと端子のスライド協同方式によって電気伝導を実現する。リール４０は、機能部材が設置されているエンドカバーに接続されている。リール４０がエンドカバーに対して回転することにより、フレキシブル電子装置本体２００は伸長又は収縮することができる。エンドカバーには機能部材に電気的に接続された導電スライドレールが設置されており、リールには導電スライドレールに対応する導電端子が設置されており、導電端子は導電スライドレールにスライド可能に接続されて、リールの回転に伴って導電スライドレールに沿ってスライドする。
【００４１】
具体的には、図１３及び図１４を参照すると、具体的な実施形態において、第二エンドカバー２０は、２つの導電スライドレール２５と、導電スライドレール２５に対応する導電端子２６と、を備える。モーター７２はリール４０内に固定され、回転軸７１は導電スライドレール２５を貫いて第二エンドカバー２０に固定される。導電スライドレール２５は回転軸７１を囲むように設置される。コネクタ２４は導電スライドレール２４に電気的に接続され、導電端子２６は導線によって制御モジュール９０に接続される。導電端子２６は、リール４０の一端に固定され且つ導電スライドレール２５にスライド可能に接続され、リール４０の回転に伴って導電スライドレール２５に沿ってスライドする。本実施形態において、２つの導電端子２６のうちの一方は正極であり、他方の導電端子２６は負極である。導電スライドレール２５及び導電端子２６の数量は２つに限定されるものではないと理解されるべきである。
【００４２】
第二エンドカバー２０の第二側壁２１２の取付面には凹部２１５が形成されている。２つの導電スライドレール２５は同心円環状であり凹部２１５内で互いに離間している。導電スライドレール２５は、凹部２１５の内壁に形成されたガイドレール台座２５１と、ガイドレール台座２５１の表面に形成された導電リング２５２と、を備える。各ガイドレール台座２５１にはさらにスロット２５１１が設けられている。各導電リング２５２にはピン２５２１が千鳥状に設置されている。ピン２５２１はスロット２５１１に挿入されてコネクタ２４に電気的に接続される。
【００４３】
具体的には、２つの導電スライドレール２５の導電リング２５２は、直径が異なる２つの金属製リングであり、導電リング２５２の縁部にはピン２５２１が折り曲げて延在している。各導電リング２５２のピンと隣接する導電リング２５２のピンはずらして間隔を置いて設置され、互いに接触して導電することを免れる。凹部２１５は円形溝である。２つの導電スライドレール２５のガイドレール台座２５１は、直径の異なる２つの環状段階であり、凹部２１５の底壁の中央から外側に向かって形成され且つ高低段差で分布されているので、２つの導電リング２５２は電気的に接続されていない。導電リング２５２はガイドレール台座２５１の表面に取り付けられているので、２つの導電リング２５２はスリーブされたリング形状を形成する。
【００４４】
また、エンドカバーにはリセット導電リングが設置されており、リールにはさらにリセット導電リングに対向する導電端子が設置されており、凹部にはさらにリセット導電リングを積載するガイドレールが形成されており、ガイドレールと導電スライドレールは同軸に離間して設置される。具体的には、以下の実施形態の説明を参照すると、第二エンドカバー２０は、リセット導電リング２７１と、リセット導電リング２７１に対向する導電端子２６と、をさらに備える。リセット導電リング２７１と導電スライドレール２５は同軸に離間して設置される。導電端子２６は、リール４０の一端に固定されており且つリセット導電リング２７１にスライド可能に接続され、リール４０の回転に伴って導電スライドレール２５に沿ってスライドすることにより、リセット機能を実現する。具体的には、凹部２１５内の２つのガイドレール台座２５１の内側リングには、リセット導電リング２７１を支持するためのガイドレール台座２１６がさらに形成されている。ガイドレール台座２１６と２つのガイドレール台座２５１は直径が異なり、且つ同軸に配置されている。本実施形態の２つのガイドレール台座２５１及びガイドレール台座２１６の直径は順次縮小され、これに対応して２つの導電リング２５２及びリセット導電リング２７１の直径は順次縮小される。リセット導電リング２７１は、ガイドレール台座２１６に取り付けられ且つ導電リング２５２内に位置する。
【００４５】
図１５を参照すると、本実施形態において、導電端子２６とは、上述した３つの導電端子である。導電端子２６は、スリーブ２６１と、スリーブ２６１に固定された導電柱２６２と、を備える。導電柱２６２は、テールエンド２６２３と、ヘッドエンド２６２１と、導電柱２６２の外周縁に突出して設置されたリング２６２２と、を備える。テールエンド２６２３は、制御モジュールに接続された導線に接続されている。ヘッドエンド２６２１の端面は、導電スライドレール２５にスライド可能に接触するように球状に形成されている。テールエンド２６２３を固定し且つヘッドエンド２６２１と導電リング２５２との摺動の滑らかさを改善するために、テールエンド２６２３の直径はヘッドエンド２６２１の直径よりも大きい。
【００４６】
スリーブ２６１は、外側シリンダ２６１１と、外側シリンダ２６１１の端部から突出し且つ外側シリンダ２６１１と同軸である内側シリンダ２６１２と、を備える。スリーブ２６１には、スリーブ２６１を貫通する収容溝２６１３がさらに設けられる。収容溝２６１３は外側シリンダ２６１１と内側シリンダ２６１２を貫通し、導電柱２６２のテールエンド２６２３は収容溝２６１３に挿入される。リング２６２２は収容溝２６１３内に位置制限され、ヘッドエンド２６２１は収納溝２６１３から伸び出す。さらに、収容溝２６１３内に段差２６１４が形成され、リング２６２３は段差２６１４に当接する。３つの導電端子２６は同じ構造を有する。
【００４７】
第二エンドプレート５８の表面には、導電端子２６に対応する端子スロット５９が設けられており、３つの端子スロット５９は離間している。端子スロット５９は、外側スロット５９１と、外側スロット５９１の底壁に凹んで設置された内側スロット５９２と、を備える。内側スロット５９２の直径は、外側スロット５９１の直径より小さい。スリーブ２６１は、端子スロット５９内に固定される。外側シリンダ２６１１は外側スロット５９１に収容され、内側シリンダ２６１２は内側スロット５９２に収容される。
【００４８】
また、内側シリンダ２６１２の外周面は面取りされており、内側スロット５９２の内周面には、内側シリンダ２６１２の外周面と協働するように面取りされている。さらに、外側スロット５９１の内周壁には止め面５９３が形成されており、スリーブの外側シリンダ２６１１の外表面には平面２６１５が形成されており、止め面５９３と平面２６１５が貼り合せて外側シリンダ５９１の回転を位置制限する。  
【００４９】
図１６を参照すると、第二エンドカバー２０が第二エンドプレート５８に装着されると、回転軸７１は凹部２１５の円形孔２１４を通過し且つ位置制限ブロック２２と位置制限され、導電端子２６のヘッドエンドは別々に２つの導電リング２５２及び導電リング２７１に当接されて、コネクタ２４と制御モジュール９０との間の電気的接続を実現する。バッテリー８０及び制御モジュール９０がリール４０とともに回転するとき、第二エンドカバー及び第二エンドカバー内に位置制限された回転軸は回転せず、モーターは回転軸に相対して回転するので、リール及びリール内部の各電子部品を回転するようにする。同時に、導電端子２６のヘッドエンドは導電リングに沿ってスライドして、これはリールの回転を影響しなく、コネクタ２４と制御モジュール９０との電気的接続も影響しなく、導線損傷の問題を心配しなくてもよい。
【００５０】
再び図１を参照すると、本願のフレキシブル電子装置の駆動部７０は、フレキシブル電子装置本体の回転軸とする回転可能なリール４０内に配置され、駆動部のモーターはリール４０とともに回転し、大きなスペースを占有しない。第一エンドカバー３０及び第二エンドカバー２０にスイッチ部及びコネクタを設置することにより、フレキシブル電子装置の操作性が向上し、導電端子とガイドレールとのスライド接続方式により、コネクタと制御モジュールとの間の電気的接続は導線を必要としなく、導線が損害されてフレキシブル電子装置の性能を影響することを免れる。  
【００５１】
図１７及び図１８を参照すると、本願の他の実施形態において、導電スライドレール及び導線端子を設置しなく、コネクタ２４と制御モジュール９０を導線で接続する。リール４０は回転軸によってエンドカバーに対して回転し、エンドカバーには機能モジュールが設置されており、制御モジュール９０はリール４０内に設置され、導線は制御モジュール及び機能モジュールに電気的に接続される。フレキシブル電子装置本体２００が収縮する際、導線は第一方向に沿って回転軸に巻き取られる。フレキシブル電子機器本体が伸展する際、導線は第二方向に沿って回転軸に巻き取られ、第二方向は第一方向と反対である。
【００５２】
エンドプレートには収容空間に連通されるポートが設けられており、エンドカバー本体の一側にはキャビティに連通される導線孔が設けられており、導線は導線孔及びポートによって制御モジュールに電気的に接続される。
【００５３】
具体的には、回転軸はモーターに対して回転する駆動部７０の回転軸７１である。なお、回転軸７１にスリーブされたスリーブ７３をさらに備え、導線はスリーブ７３の周りに巻かれている。スリーブ７３は回転軸７１に可動にスリーブされている。具体的には、スリーブ７３は回転軸７１に回転可能にスリーブされている。モーター７２が回転軸７１に対して回転すると、スリーブ７３は同時にモーター７２に対して回転する。スリーブ７３は、モーター７２とエンドプレートとの間に位置する。
【００５４】
具体的な実施形態において、ＵＳＢコネクタ２４の導線２４５は、第二エンドカバー２０を貫いてスリーブ７３に予め巻き付けられ、且つ制御モジュール９０に電気的に接続されている。スリーブ７３及びモーター７２は、回転軸７１に対して回転する。そして、モーター７２が回転すると、導線２４５は回転展開されるか又は再び巻き付けられる。位置制限ブロック２８と第二エンドプレート５８にはいずれも導線孔が設けられている。
【００５５】
図２１を一緒に参照すると、導線２４５の一端は制御モジュール９０に接続され、他端はコネクタ２４に接続され、導線２４５はスリーブ７３の周りに予め巻き付けられており、リールが回転して制御モジュール９０を回転させるが、エンドカバーは動かないので、導線２４５が巻き付けられる第一方向は、フレキシブル電子装置本体２００が伸展するときのリール４０の回転方向と同じであり、フレキシブル電子装置本体２００が収縮するときの方向と反対である。フレキシブル電子装置本体が筐体１０から完全に伸び出すと、導線２４５は時計方向に沿って完全に展開される。フレキシブル電子装置本体２００がリール４０に収縮されると、導線２４５は反時計回りに再びスリーブ７３に巻き取られる。導線が第一方向に沿って回転軸に巻き付けられる巻き数は、導線が第二方向に沿って回転軸に巻き付けられる巻き数と同じである。従って導線の巻き取り効果は最良であり、もちろん異なってもよい。逆方向に沿って予め巻き付けることにより、フレキシブル電子装置本体が展開されてから導線が巻き取られる巻き数を減少することができ、さらに過剰な巻き数による導線の損傷を減少することができる。また、導線２４５を直接に回転軸７１に巻き付けることができ、スリーブ７３を必要としない。しかしながら、可動スリーブは、導線が回転軸に過度に緊密に巻き取られて損傷を招くことを防止することができる。
【００５６】
図１８及び図１９を一緒に参照すると、具体的には、第二エンドプレート５８は貫通された開口５８４及びポート５８５が設けられている。第二エンドカバー２０の一側には貫通された導線孔２９及び貫通孔２９１が設けられている。本実施形態の位置制限ブロック２８には、スリーブが設置されていなく、基部２８１のみが設置されている。位置制限ブロック２８には、基部２８１を貫通して導線孔２９と連通される貫通孔２８２と、貫通孔２９１と対向して互いに連通される位置制限孔２８３とが設けられており、位置制限ブロック２８はキャビティ２１３内の位置制限スロット（図示せず）に収容されている。第二エンドプレート５８とモーターとの間にはスリーブ７３を収容するための空間を有し、モーター７２の回転軸７１の一端は開口部５８４から伸び出して位置制限孔２８３に固定され、導線２４５は導線孔２９及びポート５８５を通過しては制御モジュール９０に接続されている。
【００５７】
図１８を参照すると、さらに、第一軸体５０の第一収容溝の溝壁にはポート５８５の両側に位置する位置制限突起５８６が設置されており、２つの位置制限突起５８６は位置制限スロット５８５を形成し、収容空間に伸び込む導線２４５に対して位置制限するために用いられる。
【００５８】
図２０を参照すると、本実施形態において、第二エンドカバー２０のキャビティ２１３には支持柱２１３１が設置されており、支持柱２１３１の軸方向に沿って外界とキャビティを貫通する貫通孔２１３２が設けられている。コネクタ２４のリセット弾性部材２４６は、接続部２４６１と、接続部２４６１に折り曲げて接続された当接部２４６２と、を備える。当接部２４６２は支持柱２１３１で支持し且つ貫通孔２１３２と対向し、針本体が貫通孔２１３２を貫いてリセット弾性部材２４６を押すことに便利を提供する。図２０は、元のＣＡＤカウントダウンの２番目の図である。
【００５９】
本実施形態における第二エンドカバー２０のコネクタとリール４０は導線で接続されており、導線は逆方向で予め巻き付ける方式を採用するので、フレキシブル電子装置本体が展開されてから導線の巻き数を減少することができ、巻き数が多すぎることによる導線の損傷を減少することができる。
【００６０】
上述したのは本発明の好ましい実施形態であり、当業者であれば、本発明の原理を逸脱しない範囲内で同等の改良及び修正が行われたとしても、本発明の範囲に属するものである。
【図１】
2020506458.tif 000003
【図２】
2020506458.tif 000004
【図３】
2020506458.tif 000005
【図４】
2020506458.tif 000006
【図５】
2020506458.tif 000007
【図６】
2020506458.tif 000008
【図７】
2020506458.tif 000009
【図８】
2020506458.tif 000010
【図９】
2020506458.tif 000011
【図１０】
2020506458.tif 000012
【図１１】
2020506458.tif 000013
【図１２】
2020506458.tif 000014
【図１３】
2020506458.tif 000015
【図１４】
2020506458.tif 000016
【図１５】
2020506458.tif 000017
【図１６】
2020506458.tif 000018
【図１７】
2020506458.tif 000019
【図１８】
2020506458.tif 000020
【図１９】
2020506458.tif 000021
【図２０】
2020506458.tif 000022
【図２１】
2020506458.tif 000023
【手続補正書】
【提出日】令和1年6月20日(2019.6.20)
【手続補正１】
【補正対象書類名】明細書
【補正対象項目名】全文
【補正方法】変更
【補正の内容】
【発明の詳細な説明】
【技術分野】
【０００１】
本発明は、端末設備技術分野に関するものであり、特にフレキシブル電子装置に関するものである。
【背景技術】
【０００２】
携帯電話、パームサイズパソコン（Ｐａｌｍｓｉｚｅ  Ｐｅｒｓｏｎａｌ  Ｃｏｍｐｕｔｅｒ，ＰＰＣ）、ノートブックなどの電子装置は、生活の中で広く使用されている。ユーザーは、一般的にタッチスクリーン又は外付けキーボードによって電子装置を操作する。ハイテクの発展に伴い、電子装置の携帯性及び多様性について、消費者の要求はますます高くなっている。従来の技術の巻き可能な電子装置は、通常、可撓性機能部材を回転させるリールと、リールの端部に位置するエンドカバーと、を備える。エンドカバーには、一般的に可撓性機能部材に電気的に接続された機能装置が設置されている。可撓性機能部材が回転しても、エンドカバーは静止したままであり、従って機能装置の正常な作動を確保する。機能モジュールは導線によってリール内の回路基板に接続され、リールが回転しても、エンドカバーは静止したままであるので、リールの回転に伴って導線は何度も巻き付けられ、巻き付けられる巻き数が多すぎると、導線の損害が発生し易いので、導線の損傷を防ぐために、合理的な配線方式が必要である。
【発明の概要】
【０００３】
本発明は、リールの内部空間を占めなくても導線の損傷を回避することができる配線方式を有するフレキシブル電子装置を提供する。
【０００４】
本発明に係わるフレキシブル電子装置は、筐体と、筐体に収容されたリールと、リールに巻き付けられたフレキシブル電子装置本体と、制御モジュールと、エンドカバーと、回転軸と、を備え、リールは回転軸によってエンドカバーに対して回転し、エンドカバーには機能モジュールが設置されており、制御モジュールはリール内に設置され、導線は制御モジュール及び機能モジュールに電気的に接続され、フレキシブル電子装置本体が収縮する際、導線は第一方向に沿って回転軸に巻き取られ、フレキシブル電子機器本体が伸展する際、導線は第二方向に沿って回転軸に巻き取られ、第二方向は第一方向と反対である。
【０００５】
その中において、エンドカバーは機能モジュールを収容するためのキャビティを備え、リールは、制御モジュールを収容するための収容空間と、エンドカバーを固定するためのエンドプレートと、を備え、
エンドプレートには収容空間に連通されるポートが設けられており、エンドカバーの一側にはキャビティに連通される導線孔が設けられており、導線は導線孔及びポートを通過して制御モジュールに電気的に接続される。
【０００６】
その中において、リール内に設置されたモーターをさらに備え、モーターは回転軸に回転可能に接続される。
【０００７】
その中において、リールは、第一軸体と、第一軸体に対して着脱可能な第二軸体と、を備え、第一軸体は第二軸体に係合して収容空間を形成し、第一軸体のポートの両側に位置制限突起が設置されて位置制限スロットを形成し、収容空間に伸び込む導線に対して位置制限するために用いられる。
【０００８】
その中において、エンドカバーはキャビティ内に固定された位置制限部材をさらに備え、位置制限部材には導線孔と連通される貫通孔及び軸孔が設けられており、回転軸の一端はエンドプレートから伸び出して軸孔に位置制限される。
【０００９】
その中において、機能モジュールはコネクタであり、回路基板及び回路基板に接続されたコネクタソケットを備え、エンドカバーの導線孔とは反対側には差し込み口が設けられており、コネクタソケットと差し込み口は揃っている。
【００１０】
その中において、コネクタはリセット弾性部材をさらに備え、エンドカバーのキャビティには支持柱が設置されており、支持柱の軸方向に沿って外界とキャビティを貫通する貫通孔が設けられており、リセット弾性部材は、接続部と、接続部に折り曲げて接続された当接部と、を備え、当接部は支持柱の上方に位置し且つ貫通孔と対向する。
【００１１】
その中において、エンドカバーのキャビティには回路基板を固定するための対向する２つの段差部が設置されている。
【００１２】
その中において、導線が巻かれる第一方向は、フレキシブル電子装置本体が伸展するときのリールの回転方向と同じであり、フレキシブル電子装置本体が収縮するときのリールの回転方向と反対である。
【００１３】
その中において、導線が第一方向に沿ってリールに巻き付けられる巻き数は、導線が第二方向に沿ってリールに巻き付けられる巻き数と同じである。
【００１４】
その中において、回転軸にスリーブされたスリーブをさらに備え、導線はスリーブに巻き付けられる。
【００１５】
その中において、スリーブは回転軸に可動にスリーブされている。
【００１６】
その中において、スリーブは回転軸に回転可能にスリーブされている。
【００１７】
その中において、モーターが回転軸に対して回転すると、スリーブは同時にモーターに対して回転する。
【００１８】
その中において、スリーブはモーターとエンドプレートとの間に位置する。
【００１９】
本発明のフレキシブル電子装置において、導線は回転軸にスリーブされたスリーブに巻き付けられ且つスリーブの回転に伴って同時に回転するので、リールがどのように回転するかにかかわらず、導線はリールの回転に伴って回転展開されるか又は再び巻き付けられることにより、導線の収納を実現することができ、導線の乱雑による損傷を免れることができる。
【図面の簡単な説明】
【００２０】
以下、本発明の実施形態に係る技術的方案をより明確に説明するために、本発明の実施形態の説明に使用される図面について簡単に説明する。明らかに、以下説明される図面は、本発明の一部の実施形態だけのものであり、当業者であれば、これらの図面から創造的な努力なしに他の図面を得ることができる。
【図１】図１は、本発明に係わるフレキシブル電子装置の構造を示す図である。
【図２】図２は、図１に示されたフレキシブル電子装置の部分分解図である。
【図３】図３は、図２に示されたフレキシブル電子装置のリールの分解図である。
【図４】図４は、図３に示されたリールの第一軸体の構造を示す図である。
【図５】図５は、図３に示されたリールの第二軸体の構造を示す図である。
【図６】図６は、図３に示されたフレキシブル電子装置の駆動部の構造を示す図である。
【図７】図７は、図３に示されたリールの第二軸体の部分分解図である。
【図８】図８は、図２に示されたフレキシブル電子装置の第一エンドカバー及びスイッチ部の分解図であり、その中にリールを備える。
【図９】図９は、図８に示されたスイッチ部のボタン及び第一エンドカバーの別の視角の分解図である。
【図１０】図１０は、図２に示されたフレキシブル電子装置の第二エンドカバーの部分分解図であり、その中にリール及び駆動部を備える。
【図１１】図１１は、図１０に示された第二エンドカバーの部分断面図である。
【図１２】図１２は、図２に示された第二エンドカバーをリールに取り付けた後の断面図であり、その中に第二エンドカバー内に取り付けられたコネクタを備える。
【図１３】図１３は、図１２に示されたコネクタとリール内に位置する電子部品との間の電気的接続方式を示す分解図である。
【図１４】図１４は、図１２に示されたコネクタとリール内に位置する電子部品との間の電気的接続方式を示す分解図である。
【図１５】図１５は、図１３に示された導電端子の分解図である。
【図１６】図１６は、図１３に示された電気接続方式を採用するフレキシブル電子装置の断面図である。
【図１７】図１７は、図１に示されたフレキシブル電子装置のコネクタとリール内に位置する電子部品との間の電気的接続方式の他の構造を示す分解図である。
【図１８】図１８は、図１７に示されたフレキシブル電子装置の第一軸体の部分構造を示す図である。
【図１９】図１９は、図１７に示されたフレキシブル電子装置の第二エンドカバーの１つの視角の断面図である。
【図２０】図２０は、図１７に示されたフレキシブル電子装置の第二エンドカバー及びコネクタの断面図である。
【図２１】図２１は、図１７に示されたフレキシブル電子装置の断面図である。
【発明を実施するための形態】
【００２１】
以下、本発明の実施形態の添付の図面を参照しながら、本発明の実施形態の技術的方案を明確且つ完全に説明する。
【００２２】
本発明は、フレキシブル電子装置を提供する。本発明の実施形態に係わるフレキシブル電子装置は、フレキシブルタッチパネルを有する巻き可能なタッチキーボードであることができ、フレキシブルディスプレイスクリーンであることもでき、又はフレキシブルキーボードとフレキシブルディスプレイスクリーンの組合であることもでき、携帯電話、タブレットパソコン、パームサイズパソコン（Ｐａｌｍｓｉｚｅ  Ｐｅｒｓｏｎａｌ  Ｃｏｍｐｕｔｅｒ，ＰＰＣ）、携帯情報端末（Ｐｅｒｓｏｎａｌ  Ｄｉｇｉｔａｌ  Ａｓｓｉｓｔａｎｔ，ＰＤＡ）又は電子リーダーに用いられるが、これらに限定されるものではなく、本発明の実施形態はこれに対して特に限定しない。
【００２３】
図１、図２及び図３を参照すると、本実施形態において、フレキシブル電子装置１００は、ロールタイプであり、筐体１０と、筐体１０に収容されたリール４０と、リール４０に接続されたフレキシブル電子装置本体２００と、駆動部７０と、バッテリー８０と、制御モジュール９０と、を備える。制御モジュール９０、バッテリー８０及び駆動部７０は、リール４０内に互いに離間して設置される。バッテリー８０及び駆動部７０は制御モジュール９０に電気的に接続されており、バッテリー８０は制御モジュール９０と駆動部７０との間に位置する。駆動部７０はリール４０を動かすとともに筐体１０に対して回転する。フレキシブル電子装置本体２００は、リール４０の回転によって筐体１０内に巻き取られることができ、且つ筐体１０から伸び出すことができる。本願では、駆動部７０をフレキシブル電子装置本体２００の回転軸として回転することができるリール４０に配置し、駆動部７０はリール４０と共に回転し、リール４０の回転構造を節約することができ、大きなスペースを占用しなく、筐体１０の全長を効果的に減少することができる。
【００２４】
フレキシブル電子装置本体２００の一端は筐体１０から露出されているので、フレキシブル電子装置本体２００をリール４０から引き出すことができる。フレキシブル電子装置本体２００の一端はリール４０内に固定されており、露出された他端にはタイロッド２１０が設置されている。筐体１０には貫通スロット（図示せず）が設けられており、プルロッド２１０は貫通スロットに係止される。駆動部７０の駆動によってリール４０を回転させて、フレキシブル電子装置本体２００をリール４０に巻き取るか又はリール４０からフレキシブル電子装置本体２００を釈放する。フレキシブル電子装置本体２００は、フレキシブル回路基板によって制御モジュール９０に電気的に接続される。制御モジュール９０は、回路基板と、回路基板上に設置された複数の電子部品と、を備える。筐体１０は、両端が開口した中空の円筒体であり、一体成型されてもよく、２つの部分を係合してなってもよい。リール４０は端部を介して筐体１０に取り付けられ、エンドプレート又はエンドカバーによって閉じられる。
【００２５】
図３、図４、図５を参照すると、本実施形態において、リール４０は、中空の筒体であり、第一軸体５０と、第一軸体５０に対して着脱可能な第二軸体６０と、を備える。第一軸体５０は、第二軸体６０に係合する。駆動部７０は、第一軸体５０と第二軸体６０によって形成された収容空間内に収容され、且つ第一軸体５０と第二軸体６０に固定されている。第一軸体５０と第二軸体６０の横断面は半円形の構造である。第一軸体５０は第一収容溝５１を含み、第二軸体６０は第二収容溝６１を含む。第一収容溝５１の底壁には互いに離間する２つの第一突起５４が突出して設置されており、第二収容溝６１の底壁には第一突起５４を挿入させる第二突起６４が設置されている。第一突起５４及び第二突起６４にはいずれもピン孔が設けられており、ピンは第一突起５４及び第二突起６４を貫いて第一突起５４及び第二突起６４を固定し、第一突起５４及び第二突起６４の挿入接続を実現する。
【００２６】
図４及び図５に示されたように、第一収容溝５１と第二収容溝６１は収容空間を形成し、第一突起５４は第二突起６４に挿入されて収容空間を３つのキャビティに分割し、別々に制御モジュール９０、バッテリー８０及び駆動部７０を収容するために用いられる。制御モジュール９０、バッテリー８０及び駆動部７０は、いずれも第一軸体５０及び第二軸体６０に固定される。具体的には、第一突起５４は第一収容溝５１を駆動部キャビティ５１１、バッテリーキャビティ５１２及び制御モジュールキャビティ５１３に分割し、第二突起６４は第二収容溝６１を駆動部キャビティ６１１、バッテリーキャビティ６１２及び制御モジュールキャビティ６１３に分割する。駆動部キャビティ５１１と駆動部キャビティ６１１が締結されて駆動部７０を収容するためのキャビティを形成し、バッテリーキャビティ５１２とバッテリーキャビティ６１２が締結されてバッテリー８０を収容するためのキャビティを形成し、制御モジュールキャビティ６１３と制御モジュールキャビティ５１３が締結されて制御モジュール９０を収容するためのキャビティを形成する。バッテリー８０は制御モジュール９０と駆動部７０との間に位置し、バッテリー８０の重量が最も大きいので、不均衡な重量分布を避けるために、バッテリー８０を中間に位置するキャビティに収容する。
【００２７】
本実施形態において、第一軸体５０の対向する両側における制御モジュール９０に対応する位置には第一回避プラットフォーム５３が形成されており、第二軸体６０には第一回避プラットフォーム５３と対向する第二回避プラットフォーム６３が形成されており、第一回避プラットフォーム５３と第二回避プラットフォーム６３が係合して制御モジュール９０の回路基板を挟める。具体的には、第一回避プラットフォーム５３は、第一収容溝５１を形成する第一軸体５０の対向する２つの側辺の端部に位置し、第二回避プラットフォーム６３は、第二収容溝６１を形成する第二軸体６０の対向する２つの側辺の端部に位置する。第一回避プラットフォーム５３には位置決め部５３２が間隔を置いて設置されている。制御モジュール９０が収容空間に装着されると、第一軸体５０と第二軸体６０が係合して、第一回避プラットフォーム５３と第二回避プラットフォーム６３が回路基板の両側を挟め、且つ位置決め部５３２によって回路基板の位置を決める。さらに、第二軸体６０における第二回避プラットフォーム６３に隣接する箇所には制御モジュール９０の電子部品を収容するためのスロット６３２、及びフレキシブル電子装置本体２００の回路基板を通過させる切欠き６３３が設けられている。第一回避プラットフォーム５３及び第二回避プラットフォーム６３によって回路基板をリール４０に挿入することができ、従ってリールの収容スペースが占有する体積を減少し、全体構造をよりコンパクトにして、フレキシブル電子装置の体積を減少することができる。
【００２８】
図４及び図５に示されたように、第一軸体５０は係止部を備え、第二軸体６０は第一軸体５０の係止部と係合する係合部を備える。本実施形態において、係止部は第一軸体５０の２つの側辺の端部に設けられた係合スロット５５であり、係合部は第二軸体６０の２つの側辺の端部に設置されたバックル６５である。第一軸体５０と第二軸体６０が係合する際、バックル６５は係合スロット５５に係合し、第一回避プラットフォーム５３と第二回避プラットフォーム６３が係合し、第一突起５４は第二突起６４に挿入し且つピンで固定して、第一軸体５０と第二軸体６０を固定する。他の実施形態において、係合部は係合スロットであり、係止部はバックルである。又は係合部と係止部は強力磁石である。
【００２９】
図６を一緒に参照すると、さらに、駆動部７０は、モーター７２と、モーター７２の一端に回転可能に接続された回転軸７１と、を備える。モーター７２の他端には、制御モジュール９０に電気的に接続するための導電端部７４が設置されている。モーター７２の外周面には対向する２つの位置制限面７２１が形成されており、実に位置制限面は外周面を削り取って形成された平坦面を有するスロットである。第一軸体５０には第一位置制限突起５２が設置されており、第二軸体６０には第二位置制限突起６２が設置されている。第一位置制限突起５２と第二位置制限突起６２は位置制限面７２１を挟んで、モーター７２をリール４０内に固定する。本実施形態において、第一位置制限突起５２と第二位置制限突起６２は駆動部キャビティ６１１内に位置する。第一位置制限突起５２は互いに離間して設置された２つのブロックであり、第二位置制限突起６２は互いに離間して設置された２つのブロックであり、別々に位置制限面７２１に対応する。
【００３０】
図７を参照すると、選択的に、第二軸体６０には、第二軸体６０の外表面に配置された底部カバー６９が設置されている。第二軸体６０の外表面には複数の係合孔が設けられており、底部カバー６９には係合孔に係合して両者を固定するためのバックルが形成されている。ねじはさらに底部カバー６９を貫いてから第二軸体６０の外表面に係止して、両者をさらに固定する。底部カバー６９は第二軸体６０の外表面とともにフレキシブル電子装置本体２００の一端を挟めて、それを筐体内に固定する。もちろん、実にはフレキシブルスクリーンの一端を接着剤によって筐体内に固定することができる。
【００３１】
図２、図４、図５を参照すると、本願の一実施形態において、リール４０はエンドカバーで筐体１０の両端部を閉じる。リール４０の使用性能を向上させるために、フレキシブル電子装置は２つのエンドカバーに設置されたスイッチ部及び機能部材をさらに備える。本実施形態において、第一軸体５０の一端には第一エンドプレート５７が設置されており、第一軸体５０の他端には第二エンドプレート５８が設置されており、第一エンドプレート５７及び第二エンドプレート５８は第一収容溝５１の両端に位置する。第二軸体６０の両端は開口端であり、第一エンドプレート５７及び第二エンドプレート５８の一部を収容することができる。フレキシブル電子装置のエンドカバーは、第一エンドカバー３０及び第二エンドカバー２０を備え、第一エンドカバー３０はリール４０の第一エンドプレート５７に固定され、第二エンドカバー２０は第二エンドプレート５８に固定される。第一エンドカバー３０及び第二エンドカバー２０で筐体１０の両端を閉じ且つ筐体１０の両端に固定される。第一エンドカバー３０には、制御モジュール９０に接続されてリール４０の作動及びフレキシブル電子装置本体２００の機能を実現するために用いられるスイッチ部３２が設置されている。第二エンドカバー２０に設置された機能部材は、バッテリー８０の充電及びフレキシブル電子装置本体２００のデータ送信を実現するために用いられるＵＳＢコネクター２４である。
【００３２】
図８と図９を一緒に参照すると、具体的には、第一エンドプレート５７の外表面には凸状リング５７１が突出して設置されている。凸状リング５７１には、その軸方向に沿って第一エンドプレート５７を貫通して収容空間に連通される貫通溝５７２が設けられている。第一エンドカバー３０は、略矩形の中空ブロックであり、その外表面には取付溝３１１が設けられており、取付溝３１１とは反対側の表面にはスロット３１２が設けられている。凸状リング５７１はスロット３１２に伸び込んで固定されて、第一エンドカバー３０とリール４０を固定することができる。
【００３３】
図８と図９を一緒に参照すると、スイッチ部は接触点及びボタンを備え、ボタンは第一エンドカバーの外表面に可動に取り付けられて、接触点をタッチするために用いられる。具体的には、スイッチ部３２は、ボタン３２１と、接触点３２３２が設置されたフレキシブル回路基板３２３と、を備える。フレキシブル回路基板３２３は、第一エンドプレート５７を貫いて第一エンドカバー３０及び収容空間内に収容され、ボタン３２１は第一エンドカバー３０の外表面に装着される。ボタン３２１におけるその押圧面とは反対側の表面には、バネにスリーブされている押圧柱３２１１と、第一エンドカバー３０に固定接続されたフック３２１２と、挿入ロッド３２１３と、が突出して設置されている。取付溝３１１の底壁には、押圧柱３２１１を貫かせる貫通孔３１３と、フック３２１２と協同する係合孔３１５と、挿入ロッド３２１３と協同する挿入孔３１４が設けられている。ボタン３２１は、取付溝３１１内に可動に装着されている。また、ボタン３２１と取付溝３１１との間には、ワッシャー３２２がさらに設置されており、ボタン３２１と第一エンドカバー３０を固定してシールするために用いられる。
【００３４】
フレキシブル回路基板３２３は、光源３２３３及び接触点３２３２が設置された押圧端部３２３０と、折り曲げられて押圧端部３２３０に接続されている延在部３２３１と、を備える。押圧端部３２３０は、スロット３１２に収容され、且つ支持板３２３５によって支持され、突出リング５７１の端面に固定される。フレキシブル回路基板３２３における押圧端部３２３０から離れている延在部３２３１は突出リング５７１の貫通溝５７２を貫いて延在されて制御モジュール９０に接続される。ボタン３２１は取付溝３１１に可動に取り付けられ、その押圧柱３２１１はスロット３１２を貫いて接触点３２３２に当接するか又は分離してスイッチ機能を発揮し、バネはボタン３２１に弾性回復力を提供し、光源３２３３はボタン３２１にバックライトを提供する。
【００３５】
図１０〜図１４を参照すると、第二エンドカバー２０は、第二エンドプレート５８に固定されている。第二エンドカバー２０は、略矩形の中空ブロックであり、第一側壁２１１と、第一側壁２１１と対向する第二側壁２１２と、第一側壁２１１と第二側壁２１２との間に位置するキャビティ２１３と、キャビティ２１３に固定された位置制限ブロック２２と、を備える。第一側壁２１１には、コネクタ２４の差し込み口２１９が設けられており、差し込み口２１９はキャビティ２１３に連通している。第二側壁２１２の表面は取付面であり、第二エンドカバー２０は取付面によって第二エンドプレート５８に接続される。モーターはリール内に固定され、回転軸７１は第２のエンドカバー２０に挿入され、第２のエンドカバー２０に対して軸方向に拘束される。モーター７２はリール４０内に固定されており、回転軸７１は第二エンドカバー２０内に挿入され且つ第二エンドカバー２０に相対して軸方向で位置制限され、リール４０がモーター７２の回転に連動されて回転するとき、回転軸７１、筐体１０及び第二エンドカバー２０は静止したままであり、リール４０はモーター７２に随って回転し且つ第二エンドカバー２０に相対して回転する。
【００３６】
図１３を一緒に参照すると、本実施形態において、位置制限ブロック２２は、基部２２１と、基部２２１から突出するスリーブ２２２と、を備える。基部２２１は、非回転対称輪郭である。スリーブ２２２には貫通された規制孔２２４が設けられている。駆動部７０の回転軸７１は、第二エンドプレート５８を貫いてから規制孔２２４に固定される。また、回転軸７１の外周縁には平面７１１（図６）が形成されており、規制孔２２４の内孔面には平面７１１に当接して回転軸７１の回転を規制する平面が形成されている。キャビティ２１３は、取付面に隣接し且つ取付面に対向して設置された内表面を備え、内表面には固定溝２１７が設けられており、位置制限ブロック２２は固定溝２１７内に収容され且つ軸方向で位置制限されている。固定溝２１７の輪郭は位置制限ブロック２２のベース２２１の輪郭と同じであり、ベース２２１の外周面には位置制限構造が設置されて固定溝２１７と位置制限して、固定溝２１７に埋め込まれたベース２２１が回転できないようにする。固定スロット２１７のスロット壁には第二側壁２１２を貫通する円形孔２１４が設けられており、スリーブ２２２は円形孔２１４に挿入される。第二側壁２１２は、その取付面によって第二エンドプレート５８に接続される。モーター７２の回転軸７１は第二エンドプレート５８を貫いてからスリーブ２２２の規制孔２２４に挿入されて固定される。本実施形態において、コネクタ２４と制御パネルは有線接続されるか又は無線接続されて信号を送信する。
【００３７】
図１２を参照すると、コネクタ２４は、回路基板２４１と、回路基板２４１に固定されたコネクタソケット２４２と、リセット弾性部材２４３と、を備える。コネクタ２４はキャビティ２１３内に設置され、コネクタソケット２４２のインタフェースと差し込み口２１９は対向する。コネクタソケット２４２及びリセット弾性部材２４３は回路基板２４１の１つの表面に固定されており、リセット弾性部材２４３は回路基板２４の一端に位置し且つ回路基板２４１に垂直するように設置される。キャビティ２１３における位置制限ブロック２２の対向する両側には、回路基板２４１を支持するための段差部２１３１がさらに設置されている。コネクタソケット２４２及びリセット弾性部材２４３は回路基板２４１によって覆われている。また、キャビティ２１３の側壁には、リセット弾性部材２４３と対向し且つリセット弾性部材２４３を制御してリセット機能を実現させるための貫通孔２１８が設けられている。
【００３８】
リール４０は直接にエンドプレートで筐体１０の両端を閉じることができると理解されるべきである。具体的には、第一軸体５０の一端には第一エンドプレート（図示せず）が設置されており、他端には第二エンドプレートが設置されており、本実施形態において、第一エンドプレートと第二エンドプレートは平板である。リール４０を筐体１０に取り付けると、第一エンドプレートと第二エンドプレートは筐体１０の両端に位置し、リール４０を筐体１０内に閉鎖する。第一エンドプレートと第二エンドプレートの外表面に装飾面（図示せず）を設置することができる。第一軸体５０の駆動部キャビティは第二エンドプレートに隣接し、第二エンドプレートには軸孔が設けられており、回転軸は第二エンドプレートの軸孔に固定される。
【００３９】
また、コネクタ２４等の機能部材は導線によって制御モジュール９０に電気的に接続されることを必要とするが、第二エンドカバー２０内のコネクタソケット２４２は固定されており、リール４０内のバッテリー８０、制御モジュール９０、モーター７２は回転可能であるので、直接に導線でリール４０内のバッテリー８０、制御モジュール９０をコネクタソケット２４２に接続すると、導線はリール４０とともに回転する。もしリール４０が繰り返して回転する回数がより多い場合、導線も同じ回数だけ回転するので、導線が絡み合っているか、さらに損傷する可能性もある。
【００４０】
さらに、導線の代わりに、ガイドレールと端子のスライド協同方式によって電気伝導を実現する。リール４０は、機能部材が設置されているエンドカバーに接続されている。リール４０がエンドカバーに対して回転することにより、フレキシブル電子装置本体２００は伸長又は収縮することができる。エンドカバーには機能部材に電気的に接続された導電スライドレールが設置されており、リール４０には導電スライドレールに対応する導電端子が設置されており、導電端子は導電スライドレールにスライド可能に接続されて、リール４０の回転に伴って導電スライドレールに沿ってスライドする。
【００４１】
具体的には、図１３及び図１４を参照すると、具体的な実施形態において、第二エンドカバー２０は、２つの導電スライドレール２５と、導電スライドレール２５に対応する導電端子２６と、を備える。モーター７２はリール４０内に固定され、回転軸７１は導電スライドレール２５を貫いて第二エンドカバー２０に固定される。導電スライドレール２５は回転軸７１を囲むように設置される。コネクタ２４は導電スライドレール２５に電気的に接続され、導電端子２６は導線によって制御モジュール９０に接続される。導電端子２６は、リール４０の一端に固定され且つ導電スライドレール２５にスライド可能に接続され、リール４０の回転に伴って導電スライドレール２５に沿ってスライドする。本実施形態において、２つの導電端子２６のうちの一方は正極であり、他方の導電端子２６は負極である。導電スライドレール２５及び導電端子２６の数量は２つに限定されるものではないと理解されるべきである。
【００４２】
第二エンドカバー２０の第二側壁２１２の取付面には凹部２１５が形成されている。２つの導電スライドレール２５は同心円環状であり凹部２１５内で互いに離間している。導電スライドレール２５は、凹部２１５の内壁に形成されたガイドレール台座２５１と、ガイドレール台座２５１の表面に形成された導電リング２５２と、を備える。各ガイドレール台座２５１にはさらにスロット２５１１が設けられている。各導電リング２５２にはピン２５２１が千鳥状に設置されている。ピン２５２１はスロット２５１１に挿入されてコネクタ２４に電気的に接続される。
【００４３】
具体的には、２つの導電スライドレール２５の導電リング２５２は、直径が異なる２つの金属製リングであり、導電リング２５２の縁部にはピン２５２１が折り曲げて延在している。各導電リング２５２のピンと隣接する導電リング２５２のピンはずらして間隔を置いて設置され、互いに接触して導電することを免れる。凹部２１５は円形溝である。２つの導電スライドレール２５のガイドレール台座２５１は、直径の異なる２つの環状段階であり、凹部２１５の底壁の中央から外側に向かって形成され且つ高低段差で分布されているので、２つの導電リング２５２は電気的に接続されていない。導電リング２５２はガイドレール台座２５１の表面に取り付けられているので、２つの導電リング２５２はスリーブされたリング形状を形成する。
【００４４】
また、エンドカバーにはリセット導電リングが設置されており、リールにはさらにリセット導電リングに対向する導電端子が設置されており、凹部にはさらにリセット導電リングを積載するガイドレールが形成されており、ガイドレールと導電スライドレールは同軸に離間して設置される。具体的には、以下の実施形態の説明を参照すると、第二エンドカバー２０は、リセット導電リング２７１と、リセット導電リング２７１に対向する導電端子２６と、をさらに備える。リセット導電リング２７１と導電スライドレール２５は同軸に離間して設置される。導電端子２６は、リール４０の一端に固定されており且つリセット導電リング２７１にスライド可能に接続され、リール４０の回転に伴ってリセット導電リング２７１に沿ってスライドすることにより、リセット機能を実現する。具体的には、凹部２１５内の２つのガイドレール台座２５１の内側リングには、リセット導電リング２７１を支持するためのガイドレール台座２１６がさらに形成されている。ガイドレール台座２１６と２つのガイドレール台座２５１は直径が異なり、且つ同軸に配置されている。本実施形態の２つのガイドレール台座２５１及びガイドレール台座２１６の直径は順次縮小され、これに対応して２つの導電リング２５２及びリセット導電リング２７１の直径は順次縮小される。リセット導電リング２７１は、ガイドレール台座２１６に取り付けられ且つ導電リング２５２内に位置する。
【００４５】
図１５を参照すると、本実施形態において、導電端子２６とは、上述した３つの導電端子である。導電端子２６は、スリーブ２６１と、スリーブ２６１に固定された導電柱２６２と、を備える。導電柱２６２は、テールエンド２６２３と、ヘッドエンド２６２１と、導電柱２６２の外周縁に突出して設置されたリング２６２２と、を備える。テールエンド２６２３は、制御モジュールに接続された導線に接続されている。ヘッドエンド２６２１の端面は、導電スライドレール２５にスライド可能に接触するように球状に形成されている。テールエンド２６２３を固定し且つヘッドエンド２６２１と導電リング２５２との摺動の滑らかさを改善するために、テールエンド２６２３の直径はヘッドエンド２６２１の直径よりも大きい。
【００４６】
スリーブ２６１は、外側シリンダ２６１１と、外側シリンダ２６１１の端部から突出し且つ外側シリンダ２６１１と同軸である内側シリンダ２６１２と、を備える。スリーブ２６１には、スリーブ２６１を貫通する収容溝２６１３がさらに設けられる。収容溝２６１３は外側シリンダ２６１１と内側シリンダ２６１２を貫通し、導電柱２６２のテールエンド２６２３は収容溝２６１３に挿入される。リング２６２２は収容溝２６１３内に位置制限され、ヘッドエンド２６２１は収納溝２６１３から伸び出す。さらに、収容溝２６１３内に段差２６１４が形成され、リング２６２２は段差２６１４に当接する。３つの導電端子２６は同じ構造を有する。
【００４７】
第二エンドプレート５８の表面には、導電端子２６に対応する端子スロット５９が設けられており、３つの端子スロット５９は離間している。端子スロット５９は、外側スロット５９１と、外側スロット５９１の底壁に凹んで設置された内側スロット５９２と、を備える。内側スロット５９２の直径は、外側スロット５９１の直径より小さい。スリーブ２６１は、端子スロット５９内に固定される。外側シリンダ２６１１は外側スロット５９１に収容され、内側シリンダ２６１２は内側スロット５９２に収容される。
【００４８】
また、内側シリンダ２６１２の外周面は面取りされており、内側スロット５９２の内周面には、内側シリンダ２６１２の外周面と協働するように面取りされている。さらに、外側スロット５９１の内周壁には止め面５９３が形成されており、スリーブ２６１の外側シリンダ２６１１の外表面には平面２６１５が形成されており、止め面５９３と平面２６１５が貼り合せて外側シリンダ２６１１の回転を位置制限する。  
【００４９】
図１６を参照すると、第二エンドカバー２０が第二エンドプレート５８に装着されると、回転軸７１は凹部２１５の円形孔２１４を通過し且つ位置制限ブロック２２と位置制限され、導電端子２６のヘッドエンド２６２１は別々に２つの導電リング２５２及びリセット導電リング２７１に当接されて、コネクタ２４と制御モジュール９０との間の電気的接続を実現する。バッテリー８０及び制御モジュール９０がリール４０とともに回転するとき、第二エンドカバー２０及び第二エンドカバー２０内に位置制限された回転軸７１は回転せず、モーター７２は回転軸７１に相対して回転するので、リール４０及びリール４０内部の各電子部品を回転するようにする。同時に、導電端子２６のヘッドエンド２６２１は導電リングに沿ってスライドして、これはリール４０の回転を影響しなく、コネクタ２４と制御モジュール９０との電気的接続も影響しなく、導線損傷の問題を心配しなくてもよい。
【００５０】
再び図１を参照すると、本願のフレキシブル電子装置の駆動部７０は、フレキシブル電子装置本体２００の回転軸とする回転可能なリール４０内に配置され、駆動部７０のモーター７２はリール４０とともに回転し、大きなスペースを占有しない。第一エンドカバー３０及び第二エンドカバー２０にスイッチ部及びコネクタを設置することにより、フレキシブル電子装置の操作性が向上し、導電端子とガイドレールとのスライド接続方式により、コネクタと制御モジュールとの間の電気的接続は導線を必要としなく、導線が損害されてフレキシブル電子装置の性能を影響することを免れる。  
【００５１】
図１７及び図１８を参照すると、本願の他の実施形態において、導電スライドレール及び導線端子を設置しなく、コネクタ２４と制御モジュール９０を導線で接続する。リール４０は回転軸によってエンドカバーに対して回転し、エンドカバーには機能モジュールが設置されており、制御モジュール９０はリール４０内に設置され、導線は制御モジュール及び機能モジュールに電気的に接続される。フレキシブル電子装置本体２００が収縮する際、導線は第一方向に沿って回転軸に巻き取られる。フレキシブル電子機器本体２００が伸展する際、導線は第二方向に沿って回転軸に巻き取られ、第二方向は第一方向と反対である。
【００５２】
エンドプレートには収容空間に連通されるポートが設けられており、エンドカバー本体の一側にはキャビティに連通される導線孔が設けられており、導線は導線孔及びポートによって制御モジュールに電気的に接続される。
【００５３】
具体的には、回転軸はモータに対して回転する駆動部７０の回転軸７１である。なお、回転軸７１にスリーブされたスリーブ７３をさらに備え、導線はスリーブ７３の周りに巻かれている。スリーブ７３は回転軸７１に可動にスリーブされている。具体的には、スリーブ７３は回転軸７１に回転可能にスリーブされている。モーター７２が回転軸７１に対して回転すると、スリーブ７３は同時にモーター７２に対して回転する。スリーブ７３は、モーター７２とエンドプレートとの間に位置する。
【００５４】
具体的な実施形態において、ＵＳＢコネクタ２４の導線２４５は、第二エンドカバー２０を貫いてスリーブ７３に予め巻き付けられ、且つ制御モジュール９０に電気的に接続されている。スリーブ７３及びモーター７２は、回転軸７１に対して回転する。そして、モーター７２が回転すると、導線２４５は回転展開されるか又は再び巻き付けられる。位置制限ブロック２８と第二エンドプレート５８にはいずれも導線孔が設けられている。
【００５５】
図２１を一緒に参照すると、導線２４５の一端は制御モジュール９０に接続され、他端はコネクタ２４に接続され、導線２４５はスリーブ７３の周りに予め巻き付けられており、リールが回転して制御モジュール９０を回転させるが、エンドカバーは動かないので、導線２４５が巻き付けられる第一方向は、フレキシブル電子装置本体２００が伸展するときのリールの回転方向と同じであり、フレキシブル電子装置本体２００が収縮するときのリールの回転方向と反対である。フレキシブル電子装置本体２００が筐体１０から完全に伸び出すと、導線２４５は時計方向に沿って完全に展開される。フレキシブル電子装置本体２００がリール４０に収縮されると、導線２４５は反時計回りに再びスリーブ７３に巻き取られる。導線２４５が第一方向に沿って回転軸に巻き付けられる巻き数は、導線２４５が第二方向に沿って回転軸に巻き付けられる巻き数と同じである。従って導線の巻き取り効果は最良であり、もちろん異なってもよい。逆方向に沿って予め巻き付けることにより、フレキシブル電子装置本体が展開されてから導線が巻き取られる巻き数を減少することができ、さらに過剰な巻き数による導線の損傷を減少することができる。また、導線２４５を直接に回転軸７１に巻き付けることができ、スリーブ７３を必要としない。しかしながら、可動スリーブは、導線が回転軸に過度に緊密に巻き取られて損傷を招くことを防止することができる。
【００５６】
図１８及び図１９を一緒に参照すると、具体的には、第二エンドプレート５８は貫通された開口５８４及びポート５８５が設けられている。第二エンドカバー２０の一側には貫通された導線孔２９及び貫通孔２９１が設けられている。本実施形態の位置制限ブロック２８には、スリーブが設置されていなく、基部２８１のみが設置されている。位置制限ブロック２８には、基部２８１を貫通して導線孔２９と連通される貫通孔２８２と、貫通孔２９１と対向して互いに連通される位置制限孔２８３とが設けられており、位置制限ブロック２８はキャビティ２１３内の位置制限スロット（図示せず）に収容されている。第二エンドプレート５８とモーター７２との間にはスリーブ７３を収容するための空間を有し、モータ７２の回転軸７１の一端は開口部５８４から伸び出して位置制限孔２８３に固定され、導線２４５は導線孔２９及びポート５８５を通過しては制御モジュール９０に接続されている。
【００５７】
図１８を参照すると、さらに、第一軸体５０の第一収容溝５１の溝壁にはポート５８５の両側に位置する位置制限突起５８６が設置されており、２つの位置制限突起５８６は位置制限スロット５８５を形成し、収容空間に伸び込む導線２４５に対して位置制限するために用いられる。
【００５８】
図２０を参照すると、本実施形態において、第二エンドカバー２０のキャビティ２１３には支持柱２１３１が設置されており、支持柱２１３１の軸方向に沿って外界とキャビティを貫通する貫通孔２１３２が設けられている。コネクタ２４のリセット弾性部材２４６は、接続部２４６１と、接続部２４６１に折り曲げて接続された当接部２４６２と、を備える。当接部２４６２は支持柱２１３１で支持し且つ貫通孔２１３２と対向し、針本体が貫通孔２１３２を貫いてリセット弾性部材２４６を押すことに便利を提供する。
【００５９】
本実施形態における第二エンドカバー２０のコネクタとリール４０は導線で接続されており、導線は逆方向で予め巻き付ける方式を採用するので、フレキシブル電子装置本体が展開されてから導線の巻き数を減少することができ、巻き数が多すぎることによる導線の損傷を減少することができる。
【００６０】
上述したのは本発明の好ましい実施形態であり、当業者であれば、本発明の原理を逸脱しない範囲内で同等の改良及び修正が行われたとしても、本発明の範囲に属するものである。
【手続補正２】
【補正対象書類名】特許請求の範囲
【補正対象項目名】請求項９
【補正方法】変更
【補正の内容】
【請求項９】
前記導線が巻かれる第一方向は、前記フレキシブル電子装置本体が伸展するときの前記リールの回転方向と同じであり、前記フレキシブル電子装置本体が収縮するときの前記リールの回転方向と反対であることを特徴とする請求項１〜８のいずれか一項に記載のフレキシブル電子装置。
【国際調査報告】
2020506458.tif 000024
2020506458.tif 000025
2020506458.tif 000026
2020506458.tif 000027